(57)【要約】【課題】水槽用ランプに加熱機能を付与する。【解決手段】内部にＬＥＤ等の光源を配置した光源モジュール１１および該光源モジュールに接合した導熱部材１２を備える。光源モジュール１１は第１の表面１１２で導熱部材１２と接して光源からの熱を伝導し、導熱体１２は第１の導熱体１２１から第２の導熱体１２２で熱を伝導し、第２の導熱体１２２は第１の導熱体１２１と一体に接合され、外部に突出する。水槽の加熱が必要なときは第２の導熱体１２２を水槽内に配置して水槽内の水の加熱に利用する。【選択図】図１
2009148241.tif 000002
【特許請求の範囲】
【請求項１】
第１の表面を有するケーシングを有する光源モジュールと、
第２の表面を有し、該第２の表面は前記第１の表面と接合される第１の導熱体および前記第１の導熱体と一体に接合され、前記ケーシングから突出して下方に延長する第２の導熱体を有する導熱部材と、を備えることを特徴とする加熱機能を有する水槽用ランプ。
【請求項２】
前記光源モジュールは、ＬＥＤ光源を具えることを特徴とする請求項１記載の加熱機能を有する水槽用ランプ。
【請求項３】
前記第１の導熱体は、導熱板であり、前記第２の導熱体は、ヒートパイプであることを特徴とする請求項１記載の加熱機能を有する水槽用ランプ。
【請求項４】
前記第１の導熱体は、導熱板であり、前記第２の導熱体は、循環型ヒートパイプであることを特徴とする請求項１記載の加熱機能を有する水槽用ランプ。
【請求項５】
前記第２の導熱体は、更に複数の放熱フィンを有することを特徴とする請求項１記載の加熱機能を有する水槽用ランプ。
【請求項６】
更に、放熱部材を有し、前記放熱部材は前記第２の導熱体の底面と接合されることを特徴とする請求項１記載の加熱機能を有する水槽用ランプ。
【請求項７】
更に、放熱部材を有し、前記放熱部材は前記第２の導熱体の側面と接合されることを特徴とする請求項１記載の加熱機能を有する水槽用ランプ。
【発明の詳細な説明】
【技術分野】
【０００１】
本発明は、加熱機能を有する水槽用ランプに関し、特に、水槽内の水を加熱できる水槽用ランプに関する。
【背景技術】
【０００２】
水中生物の生態を随時観察するために水槽が使用されるが、各水中生物には例えば水温、光線量または水質などそれぞれ好適な生存条件がある。水温に関して述べると、冬季になると水槽内の温度が容易に低下し、水槽の水温が生物にとっては過度の低温状態となるので、低温に弱い水中生物のために、加熱装置を使用して水を加熱し、温度低下によって水中生物が病気になったり、死滅したりするのを防止する必要がある。
【０００３】
また、自然界の光線を再現するために、水槽には照明ランプが使用されるが、蛍光灯またはハロゲン灯が使用されるので、長時間の照射によって水温が過度に高くなり、水槽内の水中生物の成長に影響を与える以外に、照明ランプも高温によって使用寿命が短くなってしまう。
【０００４】
従って、如何に、加熱装置を使用せずに水槽内の水を加熱し、照明装置の長時間の照射によって水温が過度に高くなるのを防止し、照明ランプの放熱効果を高めて照明ランプが放熱不足によって寿命が短くなるのを防止するかは当該技術に従事するものが解決を望んだ研究目標であった。
【特許文献１】特許第３６９９１７３号
【特許文献２】特開平０７−１７０８８３号公報
【発明の開示】
【発明が解決しようとする課題】
【０００５】
本発明の目的は、導熱部材の第１の導熱体が光源モジュールのケーシングと接合され、光源モジュールが放出する熱を導熱部材の第２の導熱体に適時伝導し、第２の導熱体は熱を水槽の水に伝導して水槽内の水を加熱し、それによって、光源モジュールの熱がケーシングに蓄積して光源モジュールの使用寿命が短くなることがなく、水槽内の水を加熱することができ、水槽内の水中生物が過度の水温低下によって病気になったり、死滅したりするのを防止できる加熱機能を有する水槽用ランプを提供することにある。
【課題を解決するための手段】
【０００６】
上述の目的を解決するために、本発明は加熱機能を有する水槽用ランプを提供するものであり、第１の表面を有するケーシングを有する光源モジュールと、第１の表面と接合される第２の表面を有する第１の導熱体および第１の導熱体と一体に接合され、ケーシングから突出している第２の導熱体を有する導熱部材と、を備える。
【０００７】
上述の水槽用ランプにおいて、光源モジュールはＬＥＤ光源モジュールとすることができる。第１の導熱体は導熱板であり、第２の導熱体はヒートパイプまたは循環型ヒートパイプとすることができる。第２の導熱体は更に複数の放熱フィンを有することができる。水槽用ランプは更に放熱部材を有することができ、放熱部材は第２の導熱体の底面または側面と接合される。
【発明の効果】
【０００８】
本発明の実施によって下記の効果が達成される。
１、導熱部材によって光源モジュールが生成する熱を水槽の水に伝導して水を加熱することができる。
２、光源モジュールとしてＬＥＤ光源モジュールが使用されるので、水槽内の水温が照明ランプの長時間の照射によって過度に高くなることがない。
【発明を実施するための最良の形態】
【０００９】
本発明の目的、特徴および効果を示す実施例を図に沿って詳細に説明する。
【００１０】
図１は、本発明の加熱機能を有する水槽用ランプ１０の構造の第１の実施例を示す斜視図である。図２は、図１のＡ−Ａ線断面図である。図３は、本発明の加熱機能を有する水槽用ランプ１０の構造の第２の実施例を示す斜視図である。図４は、本発明の加熱機能を有する水槽用ランプ１０の構造の第３の実施例を示す斜視図である。図５は、本発明の加熱機能を有する水槽用ランプ１０の構造の第４の実施例を示す斜視図である。
【００１１】
図１に示すように、本実施例の加熱機能を有する水槽用ランプ１０の構造は、光源モジュール１１および導熱部材１２を備える。
【００１２】
光源モジュール１１は、ＬＥＤを用いた光源であって、ＬＥＤ光源は冷光源であるので、ＬＥＤ光源モジュールが放出する光線は熱を持たず、光源モジュール１１によって長時間照射されても水槽２０内の水温は過度に上昇することがない。また、使用者はＬＥＤ光源モジュールが放出する光線の色温または輝度を調整することによって適当な色温または輝度を達成することができ、ＬＥＤ光源モジュールの演色性を高めて水槽２０内の水中生物を鮮やかに照らすことができる。
【００１３】
図２に示すように、光源モジュール１１はケーシング１１１を有し、ケーシング１１１は第１の表面１１２を有する。光源モジュール１１の発光部材１１３は、ケーシング１１１内に設置される。発光部材１１３としてＬＥＤを使用し、ＬＥＤが生成する熱の大部分はＬＥＤの底面に集まる。つまり、熱はケーシング１１１の第１の表面１１２上に集まり、導熱部材１２がケーシング１１１の第１の表面１１２に接合されているので、適時、光源モジュール１１が生成する熱をケーシング１１１から奪うことができ、光源モジュール１１の熱がケーシング１１１に蓄積して光源モジュール１１の使用寿命が短くなるのを防止できる。
【００１４】
図１に示すように、導熱部材１２は第１の導熱体１２１および第２の導熱体１２２を有する。
【００１５】
図１、２に示すように、第１の導熱体１２１は導熱板であって、第１の導熱体１２１は第２の表面１２３を有し、第２の表面１２３はケーシング１１１の第１の表面１１２と接合され、光源モジュール１１が生成する熱を第１の導熱体１２１を通じて光源モジュール１１のケーシング１１１から奪う。第２の導熱体１２２はヒートパイプまたは循環型ヒートパイプとすることができる。第２の導熱体１２２は、第１の導熱体１２１と一体に接合され、光源モジュール１１のケーシング１１１外部に突出している。
【００１６】
第１の導熱体１２１が光源モジュール１１が生成した熱を光源モジュール１１のケーシング１１１から奪うとき、第１の導熱体１２１と第２の導熱体１２２とが一体に接合されているので、熱は第２の導熱体１２２に伝導される。第２の伝導体１２２は光源モジュール１１のケーシング１１１外部に突出しており、水槽２０の水中に沈めることにより、第２の導熱体１２２によって光源モジュール１１が生成した熱は水槽２０の水中に伝導され、水槽２０の水を加熱する。
【００１７】
図３に示すように、夏季は水槽２０を加熱する必要がないので、第２の導熱体１２２を水槽２０の外部に移動し、水槽２０の水を加熱しないようにすることができる。第２の導熱体１２２は、熱を空気中に放出することによって光源モジュール１１が生成する熱を光源モジュールから除くことができる。
【００１８】
図１、４に示すように、導熱部材１２の放熱速度を高めるために、本実施例の水槽用ランプ１０は更に放熱部材１３を有することができ、放熱部材１３は放熱板である。放熱部材１３は大きな放熱面積を有するので、導熱部材１２の放熱速度を高めることができる。図１に示すように、放熱部材１３を第２の導熱体１２２の底面と接合することができる。また、放熱部材１３を回転可能な構造として第２の導熱体１２２の底面と接合することができる。図３に示すように、第２の導熱体１２２を水槽２０外部に移動させるとき、放熱部材１３を回転させて放熱部材１３を水槽２０外部に移動させることができる。
【００１９】
図４に示すように、放熱部材１３は第２の導熱体１２２の一側面と接合することにより、水槽２０内の水温が低いとき、放熱部材１３が接合された第２の導熱体１２２を水槽２０内に沈めて水槽２０内の水を加熱することができる。第２の導熱体１２２を水槽２０外部に移動させる必要があるときは、放熱部材１３および第２の導熱体１２２を一緒に移動させれば、多くの空間を占拠することがない。
【００２０】
図５に示すように、導熱部材１２の放熱速度を高めるために、第２の導熱体１２２は更に複数の放熱フィン１２４を設ける。放熱フィン１２４は、第２の導熱体１２２と接合され、放熱面積が増加して光源モジュール１１が生成する熱を光源モジュール１１のケーシング１１１から迅速に放散することができる。更に、放熱部材１３を第２の導熱体１２２の底面に接合することにより、放熱速度を高めることができる。
【００２１】
本実施例によって、光源モジュール１１の放熱速度を高めるだけでなく、光源モジュール１１が放熱不足によって使用寿命が短くなるのを防止できる。更に、導熱部材１２によって光源モジュール１１が生成する熱を水槽２０内に伝導して水槽２０の水を加熱し、水槽２０内の水温を高めて水槽２０内の水中生物が過度の温度低下によって病気になったり、死滅したりするのを防止できる。
【００２２】
上述の各実施例は本発明の特徴を説明するためのものであり、本発明の特許請求の範囲を制限するものではない。従って、本発明の主旨を逸脱しない範囲における同等効果の修飾または変更は全て本発明の特許請求の範囲に含まれる。
【図面の簡単な説明】
【００２３】
【図１】本発明の加熱機能を有する水槽用ランプの第１の実施例を示す斜視図である。
【図２】図１のＡ−Ａ線断面図である。
【図３】本発明の加熱機能を有する水槽用ランプの第２の実施例を示す斜視図である。
【図４】本発明の加熱機能を有する水槽用ランプの第３の実施例を示す斜視図である。
【図５】本発明の加熱機能を有する水槽用ランプの第４の実施例を示す斜視図である。
【符号の説明】
【００２４】
１０  加熱機能を有する水槽用ランプ
１１  光源モジュール
１１１  ケーシング
１１２  第１の表面
１１３  発光部材
１２  導熱部材
１２１  第１の導熱体
１２２  第２の導熱体
１２３  第２の表面
１２４  放熱フィン
１３  放熱部材
２０  水槽
【図１】
2009148241.tif 000003
【図２】
2009148241.tif 000004
【図３】
2009148241.tif 000005
【図４】
2009148241.tif 000006
【図５】
2009148241.tif 000007